(57)【要約】【課題】 報知動作を行う電子体温計において、ブザー報知と振動報知との同時報知を防ぎ、電池電圧の低下を抑え、容量の小さいバックアップ用キャパシターとする。【解決手段】  電子体温計が備える制御回路４により、ブザー報知装置９によるブザー報知と振動報知装置８による振動報知とが交互に行われるようにブザー報知装置９および振動報知装置８を制御し、それぞれの報知装置を同時に駆動しないように測温終了を報知することで電池電圧の低下を抑える。【選択図】図１
2007155579.tif 000002
【特許請求の範囲】
【請求項１】
体温を測定する測定手段と、複数の報知手段と、前記複数の報知手段の動作を制御する制御手段とを備えた電子体温計において、前記制御手段は少なくとも２つの報知手段による報知が交互に行われるよう制御することを特徴とする電子体温計。
【請求項２】
体温を測定する測定手段と、ブザー報知手段と、振動報知手段と、前記ブザー報知手段及び前記振動報知手段の動作を制御する制御手段とを備えた電子体温計において、前記制御手段は前記ブザー報知手段によるブザー報知と前記振動報知手段による振動報知とが交互に行われるように前記ブザー報知手段および前記振動報知手段を制御することを特徴とする電子体温計。
【請求項３】
前記ブザー報知手段によるブザー報知の間隔と、前記振動報知手段による振動報知の間隔とを同じ間隔としたことを特徴とする請求項２に記載の電子体温計。
【請求項４】
前記制御手段による前記報知は、前記測定手段により得られた測温値が安定状態となった際に行われることを特徴とする請求項１乃至３何れかひとつに記載の電子体温計。
【請求項５】
体温を測定する測定手段と、ブザー報知手段と、振動報知手段と、報知手段選択手段と、前記ブザー報知手段及び前記振動報知手段の動作を制御する制御手段とを備えた電子体温計において、前記ブザー報知手段によるブザー報知のみが行われるよう制御手段が制御する報知モードと、前記振動報知手段による振動報知のみが行われるよう制御手段が制御する報知モードと、前記ブザー報知手段によるブザー報知と前記振動報知手段による振動報知とが交互に行われるよう制御手段が制御する報知モードとを有し、使用者による前記報知手段選択手段の操作に基づき、前記３つの報知モードのうち何れかひとつが選択されることを特徴とする電子体温計。
【請求項６】
前記報知手段選択手段は前記電子体温計の電源スイッチを兼ねることを特徴とする請求項５に記載の電子体温計。
【請求項７】
前記制御手段は、使用者が前記電源スイッチを押下し続けることにより、前記ブザー報知手段によるブザー報知のみが行われるよう制御手段が制御する報知モードと、前記振動報知手段による振動報知のみが行われるよう制御手段が制御する報知モードと、前記ブザー報知手段によるブザー報知と前記振動報知手段による振動報知とが交互に行われるよう制御手段が制御する報知モードとを順次選択できるように制御することを特徴とする請求項６に記載の電子体温計。
【請求項８】
前記電子体温計は表示部を有し、前記制御手段は、選択された報知モードが何れであるかがわかるような表示を前記表示部にするよう制御することを特徴とする請求項５に記載の電子体温計。
【請求項９】
前記制御手段は、前記報知モード選択時に、前記ブザー報知手段によるブザー報知のみが行われるよう制御手段が制御する報知モードが選択されたときにはブザー報知し、前記振動報知手段による振動報知のみが行われるよう制御手段が制御する報知モードが選択されたときには振動報知し、前記ブザー報知手段によるブザー報知と前記振動報知手段による振動報知とが交互に行われるよう制御手段が制御する報知モードが選択されたときにはブザー報知と振動報知とが交互に行われるよう制御することを特徴とする請求項５に記載の電子体温計。
【請求項１０】
前記制御手段は、前記測定手段により得られた測温値が安定状態となった際に、前記ブザー報知手段によるブザー報知のみが行われるよう制御手段が制御する報知モードが選択されたときにはブザー報知し、前記振動報知手段による振動報知のみが行われるよう制御手段が制御する報知モードが選択されたときには振動報知し、前記ブザー報知手段によるブザー報知と前記振動報知手段による振動報知とが交互に行われるよう制御手段が制御する報知モードが選択されたときにはブザー報知と振動報知とが交互に行われるよう制御することを特徴とする請求項５に記載の電子体温計。
【請求項１１】
体温を測定する測定手段と、ブザー報知手段と、振動報知手段と、前記ブザー報知手段及び前記振動報知手段の動作を制御する制御手段とを備えた電子体温計において、前記測定手段により得られた測温値が安定状態となり、前記振動報知手段によ
る振動報知が所定時間行われた後、前記制御手段は、前記振動報知手段による振動報知を中止し、前記ブザー報知手段によるブザー報知を行うよう制御することを特徴とする電子体温計。
【請求項１２】
体温を測定する測定手段と、ブザー報知手段と、振動報知手段と、前記ブザー報知手段及び前記振動報知手段の動作を制御する制御手段とを備えた電子体温計において、前記測定手段により得られた測温値が安定状態となり、前記ブザー報知手段によるブザー報知が所定時間行われた後、前記制御手段は、前記ブザー報知手段によるブザー報知を中止し、前記振動報知手段による振動報知を行うよう制御することを特徴とする電子体温計。
【発明の詳細な説明】
【技術分野】
【０００１】
本発明は、電子体温計に関する。
【背景技術】
【０００２】
電子体温計は、感熱センサを用いて体温を測定し、体温とみなされる平衡温を検出して報知・表示するように構成されている。このような電子体温計は、体温測定に際して測定終了を自動的に判断し、測定終了と判断されたときには、測定終了を報知すると共に検出温度を体温として表示するため、水銀電子体温計と比較して迅速に測定を行うことができる。
【０００３】
測定終了を判断する方式として、測定温度が所定期間一定であることを検出したとき測定終了と判断する方式、タイマにより計時を行い所定時間経過したときに測定終了と判断する方式などが提案されている。
【０００４】
そして、測定終了を報知する方法も多岐におよび、例えば、特許文献１では、コイル１０への入力信号周波数を変化させることにより振動、ブザー動作音、音声の何れかの態様を示す振動アクチュエータ１を搭載し、電源スイッチ２７の操作によりその態様の何れかを報知方法として選択し、選択された報知方法で検温完了を報知することで、音が聞こえないような状況においても対応できるようにしている。
【０００５】
また、特許文献２では、切り替えスイッチ８の操作により、振動部５、電子音部７を切り替え、あるいはそれらを同時選択することで振動と電子音との切り替え、あるいは振動と電子音を同時発生して検温終了を報知し、耳が聞こえにくい高齢者などの検温ミスを少なくし、また、睡眠中の幼児や被検温者がブザー音で目を覚ます事無く検温終了を知らせることで確実に検温終了を確認できるようにしている。
【特許文献１】特開平１１−３０４５９７号公報
【特許文献２】特開２０００−１２１４４８号公報
【発明の開示】
【発明が解決しようとする課題】
【０００６】
しかしながら、特許文献１に記載の電子体温計では、振動、ブザー動作音、音声の何れかを使用者が選択する必要があり、例えば、耳の聞こえにくい高齢者が間違って音声報知を選択してしまったり、寝たきりで自分では測温できないような患者に振動報知を選択してうっかり放置してしまうと（患者ではない）使用者が検温終了を認識できないという問題があった。
【０００７】
また、特許文献２の電子体温計のように振動と電子音を同時発生する報知モードを選択していればこのような問題は起こらないが、特許文献２に記載の電子体温計のように振動と電子音を同時に発生させると電池電圧が低下してしまい、ＢＤ値（Battery Detective Voltage：使用可能電圧下限値）より下がることがよくあり、ＢＤ値より下がると測定が行えなくなってしまったり、測定精度が低下するという問題があった。さらに、振動と電子音とが同時に発生すると被検温者は何事が起こったかと驚いてしまうという問題があった。
【０００８】
図７は、各種報知を用いた際の電池電圧の変化をグラフ化したものであり、図７（ａ）
は、ブザー報知を間隔をおいて３回行った際の電池電圧の変化を示したものであり、図７（ｂ）は振動報知を間隔をおいて３回行った際の電池電圧の変化を示したものであり、図７（ｃ）はブザー報知と振動報知とを同時に３回行った場合の電池電圧の変化を示したものである。
【０００９】
図７（ａ）の上図に示すように、ブザー報知は、１回の報知に、例えば４ｋＨｚなどの駆動信号をブザーに対して出力することで行っている。一方、図７（ａ）の下図に示すように、電池電圧は、ブザー報知すると瞬間的に低下し、ブザー報知を止めると復活する。図７（ａ）の下図に破線で示しているＢＤとは、前述のＢＤ値のことであり、電池電圧がこのＢＤ値を下回ると測定が行なえなくなったり、測定精度が低下したりする。しかし、電池容量がまだ十分に残っているときには、図７（ａ）の下図に示すように、ブザー報知のみでは電池電圧がＢＤ値を下回ることはない。
【００１０】
一般的に、振動報知とは振動モータを回転させて振動させることで報知するものであり、例えば、図７（ｂ）の上図に示すように、モータに対して駆動信号を出力することで行っている（図７（ｂ）では続けて２回の駆動信号を間隔をおいて３回出力している）。モータ駆動は、ブザーよりも一般に消費電流が大きいため、図７（ｂ）の下図に示すようにモータへ駆動信号を出力しモータを回転させると、ブザー報知のときよりも電池電圧は低下する。しかし、電池容量がまだ十分に残っているときには、図７（ｂ）の下図に示すように、振動報知のみでは電池電圧はＢＤ値を下回ることはない。
【００１１】
他方、図７（ｃ）に示すようにブザー報知と振動報知（モータ駆動）とを同時に行うと、各報知を単独で行う場合と比較して電池電圧の低下が大きくなり、ＢＤ値を下回る確率が高くなる。前述の如く、ＢＤ値を下回ると測定を続けて行えなくなったり、測定精度に影響がでるおそれがある。
【００１２】
そこで、本発明は従来の問題を解決し、ブザー報知や振動報知等の報知手段を複数有する電子体温計において、それぞれの報知を同時に行わないようにすることによって、瞬間的な電池電圧の低下を抑えることを目的とする。
【課題を解決するための手段】
【００１３】
本発明の電子体温計は、体温を測定する測定手段と、複数の報知手段と、前記複数の報知手段の動作を制御する制御手段とを備えた電子体温計において、前記制御手段は少なくとも２つの報知手段による報知が交互に行われるよう制御する。
【００１４】
特に、体温を測定する測定手段と、ブザー報知手段と、振動報知手段と、前記ブザー報知手段及び前記振動報知手段の動作を制御する制御手段とを備えた電子体温計において、前記制御手段は前記ブザー報知手段によるブザー報知と前記振動報知手段による振動報知とが交互に行われるように前記ブザー報知手段および前記振動報知手段を制御する。
【００１５】
また、前記ブザー報知手段によるブザー報知の間隔と、前記振動報知手段による振動報知の間隔とを同じ間隔とする。
【００１６】
さらに、前記制御手段による前記報知は、前記測定手段により得られた測温値が安定状態となった際に行われる。
【００１７】
本発明の別の態様は、体温を測定する測定手段と、ブザー報知手段と、振動報知手段と、報知手段選択手段と、前記ブザー報知手段及び前記振動報知手段の動作を制御する制御手段とを備えた電子体温計において、
前記ブザー報知手段によるブザー報知のみが行われるよう制御手段が制御する報知モード
と、前記振動報知手段による振動報知のみが行われるよう制御手段が制御する報知モードと、前記ブザー報知手段によるブザー報知と前記振動報知手段による振動報知とが交互に行われるよう制御手段が制御する報知モードとを有し、使用者による前記報知手段選択手段の操作に基づき、前記３つの報知モードのうち何れかひとつが選択される。
【００１８】
そして、前記報知手段選択手段は前記電子体温計の電源スイッチを兼ねる。
【００１９】
また、前記制御手段は、使用者が前記電源スイッチを押下し続けることにより、前記ブザー報知手段によるブザー報知のみが行われるよう制御手段が制御する報知モードと、前記振動報知手段による振動報知のみが行われるよう制御手段が制御する報知モードと、前記ブザー報知手段によるブザー報知と前記振動報知手段による振動報知とが交互に行われるよう制御手段が制御する報知モードとを順次選択できるように制御する。
【００２０】
さらに、前記電子体温計は表示部を有し、前記制御手段は、選択された報知モードが何れであるかがわかるような表示を前記表示部にするよう制御する。
【００２１】
そして、前記制御手段は、前記報知モード選択時に、前記ブザー報知手段によるブザー報知のみが行われるよう制御手段が制御する報知モードが選択されたときにはブザー報知し、前記振動報知手段による振動報知のみが行われるよう制御手段が制御する報知モードが選択されたときには振動報知し、前記ブザー報知手段によるブザー報知と前記振動報知手段による振動報知とが交互に行われるよう制御手段が制御する報知モードが選択されたときにはブザー報知と振動報知とが交互に行われるよう制御する。
【００２２】
さらに、前記制御手段は、前記測定手段により得られた測温値が安定状態となった際に、前記ブザー報知手段によるブザー報知のみが行われるよう制御手段が制御する報知モードが選択されたときにはブザー報知し、前記振動報知手段による振動報知のみが行われるよう制御手段が制御する報知モードが選択されたときには振動報知し、前記ブザー報知手段によるブザー報知と前記振動報知手段による振動報知とが交互に行われるよう制御手段が制御する報知モードが選択されたときにはブザー報知と振動報知とが交互に行われるよう制御する。
【００２３】
さらに、本発明の別の態様は、体温を測定する測定手段と、ブザー報知手段と、振動報知手段と、前記ブザー報知手段及び前記振動報知手段の動作を制御する制御手段とを備えた電子体温計において、前記測定手段により得られた測温値が安定状態となり、前記振動報知手段による振動報知が所定時間行われた後、前記制御手段は、前記振動報知手段による振動報知を中止し、前記ブザー報知手段によるブザー報知を行うよう制御する。
【００２４】
また、本発明の別の態様は、体温を測定する測定手段と、ブザー報知手段と、振動報知手段と、前記ブザー報知手段及び前記振動報知手段の動作を制御する制御手段とを備えた電子体温計において、前記測定手段により得られた測温値が安定状態となり、前記ブザー報知手段によるブザー報知が所定時間行われた後、前記制御手段は、前記ブザー報知手段によるブザー報知を中止し、前記振動報知手段による振動報知を行うよう制御する。
【発明の効果】
【００２５】
本発明の電子体温計は、制御手段が、少なくとも２つの報知手段による報知を交互に行うよう制御することで、電池電圧の低下を抑えることができ、さらに、ブザー報知と振動報知とを同時に行うことを前提に電子体温計を設計すると電池電圧の低下を考慮しバックアップ用キャパシターに容量の大きいものを選ばなければならないが、少なくとも２つの報知手段による報知を交互に行うことにより電池電圧の低下を抑えることができるので容量の小さいバックアップ用キャパシターとすることができ、一般に安価な製品を提供でき
る。
【発明を実施するための最良の形態】
【００２６】
以下、本発明の電子体温計について図を用いて詳細に説明する。
【００２７】
図１は、本発明の電子体温計の概略構成を説明するための概略ブロック図である。図１において、電子体温計１は、測定制御回路２と、体温を検出するためのセンサ６と、測定した体温やその他の表示を行う表示装置１０と、報知動作を行う振動報知装置８及びブザー報知装置９と、電源スイッチを兼ねる操作スイッチであるスイッチ装置７を備える。
【００２８】
さらに、測定制御回路２は、サーミスタ等の感熱素子からなるセンサ６の検出信号に基づいて体温の測定を行う測定装置３と、制御処理のためにタイマ５を備え、また、スイッチ装置７と測定装置３とタイマ５からの入力信号に伴い、振動報知装置８とブザー報知装置９と表示装置１０とに信号を出力してそれら装置を制御する制御回路４とを備える。後述するように、制御回路４は、現在選択されている報知モード（はじめて使用するときには工場出荷値）を記憶する報知モード記憶部と、前回の測定値（はじめて使用するときには工場出荷値）を記憶する前回値記憶部と、測定装置３により入力された最高温度値を記憶する最高温度値記憶部を有している。
【００２９】
制御回路４は、測定装置３から入力された測温値と最高温度値記憶部の値とを比較し、測定装置３から入力された測温値の方が大きい場合には、最高温度値記憶部に測定装置３から入力された測温値を書き込む。この制御回路４の処理により最高温度値が更新される。
【００３０】
また、制御回路４は、振動報知装置８及びブザー報知装置９を駆動する駆動信号を出力し、この駆動信号を制御して振動報知装置８及びブザー報知装置９の報知動作が同時に実行しないように制御している。
【００３１】
振動報知装置８は、振動モータよりなり、振動モータの回転により電子体温計の本体が振動することによって使用者への測温終了等を報知している。ブザー報知装置９は、ブザー音やメロディ音等の音情報を発生する音発生装置を備える。表示装置１０は測定した体温などの情報を表示する表示部分である。
【００３２】
図２は、本発明の実施の形態に係わり、図２（ａ）は、電子体温の平面図、図２（ｂ）は、図２（ａ）のＡ−Ａ線断面図である。図２（ａ）及び図２（ｂ）において、１９は樹脂成形されたケース本体で、該ケース本体１９の一端側には温度を検出するため、センサーキャップ１４ａ内に測温素子であるサーミスタ６を内蔵した測定部１４が設けられている。他端には電池１８を収納する電池収納部１６を有し、該電池１８は回路基板と電気的に接続されている。１７は電池蓋であり、この電池蓋１７の開閉により電池１８は電池収納部１６に着脱自在に装着される。１２は、前記ケース本体１９と係合するキャップである。
【００３３】
前記ケース本体１９の内部には、チップコンデンサ、半導体素子、チップ抵抗などの電子部品を実装する回路基板１５が配設されており、該回路基板１５には前記サーミスタ６が図示しない導線で接続されている。また、前記ケース本体１９の内部には、前記測定部１４のサーミスタ６によって測定された温度を表示する液晶表示パネルよりなる表示装置１０が配置され、前記表示装置１０に隣接して、押しボタン式のスイッチ装置７と、該スイッチ装置７を挟んで前記表示装置１０と反対側に振動モータよりなる振動報知装置８を配置している。また、前記測定部１４と前記表示装置１０との間には、ブザー報知装置９を配置している。すなわち、前記測定部１４を基準として、該測定部１４から離れる方向
に、前記ブザー報知装置９、前記表示装置１０、前記スイッチ装置７、前記振動報知装置８の順に配置され、前記回路基板１５の厚さ方向には、前記回路基板１５と前記振動報知装置８とが平面的に重ならないように、かつ、離間して配置している。また、前記回路基板１５の上には、回路基板１５と所定の間隔を開けてケース本体１９の外表面に取り付けられた風防板１３が配置され、風防板１３を通して表示装置１０を視認可能である。
【００３４】
次に、図３のフローチャートを用いて、本発明の電子体温計の動作例を説明する。
【００３５】
電子体温計１は、スイッチ装置７の操作を受けて、振動報知装置８による振動報知やブザー報知装置９によるブザー報知を行って、スイッチがオン状態となったことを報知を行い（開始報知）（Ｓ１）、また、表示装置１０の表示セグメントを全点灯表示させる等の表示動作を行う（Ｓ２）。なお、本発明の電子体温計は、振動報知装置８のみを駆動して振動報知する振動報知モードと、ブザー報知装置９のみを駆動してブザー報知するブザー報知モードと、ブザー報知と振動報知とを両方行うブザー振動報知モードとを備えており、これら３つの報知モードのうちどの報知モードが現在選択されているかを記憶する報知モード記憶部を制御回路４は有している。そして、開始報知時には、制御回路４は、現在選択されている報知モードがどの報知モードであるかを報知モード記憶部から読み出し、選択されている報知モードに応じて、振動報知装置８および／またはブザー報知装置９に対し駆動信号を出力し、振動報知装置８および／またはブザー報知装置９を駆動する。したがって、使用者は、開始報知によって、現在選択されている報知モードを体感することができ、使用者にとって最適な報知方法を選択できる。
【００３６】
そして、現在選択されている報知モードを目視で確認できるように、表示装置１０に報知モードをアイコン化して表示するよう選択されている報知モードに応じた信号を制御回路４は表示装置１０に出力する（Ｓ３）。図５は、表示装置１０の表示パターンを例示したものであり、図５（ａ）はブザー報知モードが選択されているときの表示装置１０の表示であり、図５（ｂ）は振動報知モードが選択されているときの表示装置１０の表示であり、図５（ｃ）はブザー振動報知モードが選択されているときの表示装置１０の表示である。
【００３７】
このように、選択された報知モードが何れであるかを表示装置１０に表示するので、報知モードを選択しているときだけでなく、測温中も、どの報知モードが選択されているかを確認できる。
【００３８】
続けて、制御回路４は、制御回路４の前回値記憶部に記憶しておいた前回の測定値を読み出して表示装置１０に出力し、表示装置１０は前回の測定値を表示する（Ｓ４）。
【００３９】
さらに、制御回路４は、スイッチ装置７が押下され続けているかをスイッチ装置７から入力される信号によって確認し（Ｓ５）、スイッチ装置７が押下されていなければ（Ｓ５の判断がＮのとき）、温度の測定を開始する（Ｓ８）。
【００４０】
測温が開始されると、制御回路４は、表示装置１０に対しＬｏｗ表示（未だ電子体温計が３２℃に達していない状態を表す。例えば図５（ｄ）のように“Ｌ”の表示をする。）するよう信号を出力し（Ｓ９）、センサ６の検出信号に基づいて体温の測定を行う測定装置３からの測温データが３２℃以上になったかを判断し（Ｓ１０）、３２℃未満であれば（Ｓ１０での判断がＮのとき）Ｌｏｗ表示を続け、３２℃以上になったら、制御回路４の最高温度値記憶部から最高温度値を読み出して表示装置１０に出力する。表示装置１０は制御回路４からの信号に応じ最高温度値を表示する（図５（ｅ）参照。なお、図５（ｅ）はブザー振動報知モードが選択されているときの表示パターンである）（Ｓ１１）。
【００４１】
制御回路４は、測定値が安定状態に達したか否かを判定する（Ｓ１２）。測定値が安定状態に達したか否かは、例えば測定値の変化率から判定することができ、変化率が予め設定しておいた一定値以下になったことで、測定値が安定状態に達したと判定することができる。このときの測定値は、体温とみなされる平衡温を表している。なお、安定状態の判定は、測定装置３で行っても良い。
【００４２】
測定値が安定状態となっていない場合には（Ｓ１２での判断がＮのとき）、Ｓ１１に戻り、安定状態になったと判断されるまで最高温度値の表示を続ける。
【００４３】
測定値が安定状態となった場合には（Ｓ１２での判断がＹのとき）、安定状態になったことを表示装置１０に表示し（Ｓ１３）、検温が完了したものとして最高温度値を平衡温として表示装置１０に表示する。検温が完了すると、制御回路４は測定装置３による測定動作を中断し、安定状態になったことを報知する（Ｓ１４）。
【００４４】
安定状態になったことの報知（以下、安定報知と言う）は次のように行う。制御回路４は、３つの報知モード（振動報知モード、ブザー報知モード、ブザー振動報知モード）のうちどの報知モードが現在選択されているかを記憶している制御回路４の報知モード記憶部を読み出し、選択されている報知モードがブザー報知モードであれば、ブザー報知装置９に対してのみブザー報知するように駆動信号を出力し、選択されている報知モードが振動報知モードであれば、振動報知装置８に対してのみ駆動信号を出力し、選択されている報知モードがブザー振動報知モードであれば、ブザー報知装置９と振動報知装置８とを交互に駆動するようにそれぞれ駆動信号を出力する。
【００４５】
安定報知は検温完了を意味しているので、報知は１回のみでなく複数回（例えば３回程度）行なわれることが望ましい。
【００４６】
安定報知時に、ブザー報知モードが選択されたときにはブザー報知し、振動報知モードが選択されたときには振動報知し、ブザー振動報知モードが選択されたときにはブザー報知と振動報知とが交互に行われるので、使用者に適した報知方法で測温の終了を認識できる。
【００４７】
また、ブザー振動報知モードを選択した際には、安定報知時に、ブザー報知と振動報知とを交互に行うため、電圧を低下させることがない。また、ブザー報知のみでは安定報知を認識できない使用者であっても、あるいは、被検温者とは異なる人が使用者であるときのように振動報知では安定報知が認識できないような場合であっても、ブザー報知と振動報知を交互に繰り返すため、確実に使用者に安定報知を伝えることができる。
【００４８】
使用者は、通常、体温測定後、電池の節約の意味でスイッチ装置７を押下し、電子体温計の電源を切るが、もし、電源を切り忘れていたら安定報知後（あるいは安定報知のための駆動信号出力と同時に）にタイマ５を所定時間（例えば１０分）セットし、タイムアップしたら自動的に電源を切るようにしても良い。
【００４９】
また、自分では測温できないような被検温者に誤って振動報知を選択してしまい、振動報知しても使用者（被検温者でない人）に安定報知が伝わらない場合等を考慮して、振動報知で安定報知している間に使用者が電源を切らなかった場合には、振動報知からブザー報知に報知方法を切り替えても良い。
これは、例えば、振動報知の時間を１分とするなら、振動報知のための駆動信号を振動報知装置８に出力すると同時に制御回路４がタイマ５を１分間にセットし、タイマ５がタイムアップするまでにスイッチ装置７が押下されず、その結果、タイマ５からタイムアップの信号が出力されたら、制御回路４は振動報知装置８への駆動信号の出力を中止し、ブザ
ー報知装置９への駆動信号を出力するようにすれば良い。
【００５０】
このように、振動報知モードが選択されていて、安定報知時に、振動報知が所定時間行われる間に使用者によって電源スイッチを兼ねているスイッチ装置７が押されなかった場合には、ブザー報知が行われるように制御回路４は制御するので、報知モード選択を誤って振動報知モードとしてしまった場合でも報知方法を変えて安定報知を使用者に伝えることによって確実に安定報知が使用者に伝わる。
【００５１】
また、耳の聞こえ難い高齢者が誤ってブザー報知を選択してしまい、ブザー報知しても被検温者に安定報知が伝わらない場合等を考慮して、ブザー報知で安定報知している間に被検温者が電源を切らなかった場合には、ブザー報知から振動報知に報知方法を切り替えても良い。これは、例えば、ブザー報知の時間を１分とするなら、ブザー報知のための駆動信号をブザー報知装置９に出力すると同時に制御回路４がタイマ５を１分間にセットし、タイマ５がタイムアップするまでにスイッチ装置７が押下されず、その結果、タイマ５からタイムアップの信号が出力されたら、制御回路４はブザー報知装置９への駆動信号の出力を中止し、振動報知装置８への駆動信号を出力するようにすれば良い。
【００５２】
このように、ブザー報知モードが選択されていて、安定報知時に、ブザー報知が所定時間行われる間に使用者によって電源スイッチを兼ねているスイッチ装置７が押されなかった場合には、振動報知が行われるように制御回路４は制御するので、報知モード選択を誤ってブザー報知モードとしてしまった場合でも報知方法を変えて安定報知を使用者に伝えることによって確実に安定報知が使用者に伝わる。
【００５３】
次にＳ５で、スイッチ装置７が押下されていると制御回路４が判断したとき（Ｓ５の判断がＹのとき）、の処理について説明する。
【００５４】
もし、Ｓ５でスイッチ装置７が押下されていると判断されたときには、現在選択されている報知モードを変更する（Ｓ６）。すなわち、制御回路４は、３つの報知モード（振動報知モード、ブザー報知モード、ブザー振動報知モード）のうちどの報知モードが現在選択されているかを記憶している制御回路４の報知モード記憶部を読み出し、それとは異なる報知モードになるように報知モード記憶部を書き換える。例えば、現在選択されている報知モードがブザー報知モードであれば振動報知モードに変更し、現在選択されている報知モードが振動報知モードであればブザー振動報知モードに変更し、現在選択されている報知モードがブザー振動報知モードであればブザー報知モードに変更するように報知モード記憶部を書き換える。
【００５５】
制御回路４は、報知モード変更後、新たに選択された報知モードを報知モード記憶部から読み出し、選択されている報知モードがブザー報知モードであれば、ブザー報知するようにブザー報知装置９に対してのみ駆動信号を出力し、選択されている報知モードが振動報知モードであれば、振動報知するように振動報知装置８に対してのみ駆動信号を出力し、選択されている報知モードがブザー振動報知モードであれば、ブザー報知と振動報知を交互にするようにブザー報知装置９と振動報知装置８とに交互に駆動信号を出力する（Ｓ７）。このように選択された報知モードを報知することによって使用者は選択された報知モードが、どの報知モードなのかを確認でき、さらに、ブザー報知や振動報知の程度（ブザー音の大きさや振動の大きさ）を確認できる。
【００５６】
制御回路４は、選択された報知モードを報知した後、Ｓ５に戻り、さらにスイッチ装置７が押下されていないかをチェックする。もし、スイッチ装置７が押下され続けているなら、さらに、報知モードを変更する。
【００５７】
このように、報知モード選択時に、ブザー報知モードが選択されたときにはブザー報知し、振動報知モードが選択されたときには振動報知し、ブザー振動報知モードが選択されたときにはブザー報知と振動報知とが交互に行われるので、使用者はどの報知モードを選択したのかを報知モード選択時に把握できるので、報知モードを間違って選択することがなくなる。
【００５８】
図４のフローチャートおよび図５に示す表示装置１０の表示パターン図を用いて、報知モードの変更方法について説明する。図４のフローチャートは、図３のフローチャートのＳ６の処理についてより詳しく説明するためのものである。
【００５９】
Ｓ５で、スイッチ装置７が押下されていると制御回路４が判断したとき（Ｓ５の判断がＹのとき）、Ｓ６の処理に入り、報知モードを変更するのであるが、先ず、制御回路４は、現在選択されている報知モードを記憶している制御回路４の報知モード記憶部を読み出し、それが、ブザー報知モードであるかを判断する（Ｓ６−１）。
【００６０】
もし、Ｓ６−１の判断で報知モード記憶部の値がブザー報知モードであったら（Ｓ６−１の判断がＹのとき）、制御回路４は、報知モード記憶部の値を振動報知モードに変更する（Ｓ６−５）。
【００６１】
もし、Ｓ６−１の判断で報知モード記憶部の値がブザー報知モードでなかったら（Ｓ６−１の判断がＮのとき）、制御回路４は、現在の報知モードが振動報知モードであるかを判断する（Ｓ６−２）。
【００６２】
もし、Ｓ６−２の判断で報知モード記憶部の値が振動報知モードであったら（Ｓ６−２の判断がＹのとき）、制御回路４は、報知モード記憶部の値をブザー振動報知モードに変更する（Ｓ６−４）。
【００６３】
もし、Ｓ６−２の判断で報知モード記憶部の値が振動報知モードでなかったら（Ｓ６−２の判断がＮのとき）、現在の報知モードがブザー振動報知モードであると制御回路４は判断して、制御回路４は、報知モード記憶部の値をブザー報知モードに変更する（Ｓ６−３）。
【００６４】
以上、制御回路４は、Ｓ６−１からＳ６−５までの処理で、報知モード記憶部の値を変更したら、選択された報知モードを表示装置１０に表示する（Ｓ６−６）。この処理は、Ｓ３での処理と同様に、制御回路４は、現在選択されている報知モードがどの報知モードであるかを報知モード記憶部から読み出し、報知モードに応じた信号を出力することによって表示装置１０に報知モードをアイコン化して表示する。そして、図５に示すように、ブザー報知モードが選択されているときは図５（ａ）のように、振動報知モードが選択されているときは図５（ｂ）のように、ブザー振動報知モードが選択されているときは図５（ｃ）のように表示する。
【００６５】
このように、ブザー報知モードと振動報知モードとブザー振動報知モードとを順次選択でき、それもスイッチ装置７を押下し続けるだけで選択できるので、使用者は簡単な操作で報知モードを選択できる。
【００６６】
また、電源スイッチを兼ねる操作スイッチであるスイッチ装置７を使用者が押下し続けることで報知モードの選択ができるので、電子体温計のＯＮ／ＯＦＦと報知モードの選択が一つのスイッチ装置７で行うことができ、また、スイッチが一つで済むのでコストを下げることができる。
【００６７】
報知モード表示後、処理はＳ７へ進む。
【００６８】
次に、ブザー振動報知について説明する。
【００６９】
図６は、ブザー振動報知モードが選択されている場合の制御回路４からブザー報知装置９および振動報知装置８への駆動信号の出力の様子と、それに伴う電池電圧の変化を示したものである。
【００７０】
図７（ｃ）の下図に示すように、ブザー報知と振動報知（振動モータ駆動）とを同時に行うと電池電圧がＢＤ値を下回ってしまい、測定が継続できなくなったり、測定精度に影響がでたりするが、本発明の実施形態では、図６に示すように、制御回路４が小刻みにブザー報知装置９へ駆動信号を出力することでブザー報知を所定時間行い（図６では４ｋＨｚの駆動信号を８回）、その後、ブザー報知装置９への駆動信号の出力を中止し、振動報知装置８の駆動モータの駆動信号出力を２回行ない、さらに、振動報知装置８の駆動モータの駆動信号出力を中止し、再び、ブザー報知を行うことで、ブザー報知と振動報知とを同時には行わず、交互に行っている。
【００７１】
このようにブザー報知と振動報知とを同時に行わず、交互に行うことで、図６の下図に示すように、電池電圧の低下を抑えるので電池電圧はＢＤ値を下回ることがない。したがって、ＢＤ値を下回ることで測定が継続できなくなったり、測定精度に影響がでるようなことはない。
【００７２】
なお、本発明の実施形態では、ブザー報知が行われる間隔と振動報知が行われる間隔を同じ間隔としている。これは、被検温者に心地よく安定報知をするにあたって、ブザー報知と振動報知との間隔を同じくして、ブザー報知と振動報知とを交互に行うと、リズムカルとなり、被検温者が違和感を抱かなくなるためである。
【００７３】
また、本発明の実施形態では、開始報知時には、ブザー報知を１回（４ｋＨｚの駆動信号８回でブザー報知１回としてカウントしている）、振動報知を１回（２つの駆動信号で１回の振動報知としてカウントしている）のみとしている。開始報知は、既に選択されている報知モードがどの報知モードであるかを使用者に知らせるためのものであるので、必要以上に長く、あるいは、多く報知する意味がないからである。これは、ブザー振動報知モードのみならず、ブザー報知モード、振動報知モードのときも同様である。
【００７４】
また、本発明の実施形態では、安定報知時には、ブザー報知モードのときはブザー報知を続けて３回行い、振動報知モードのときは振動報知を続けて３回行い、ブザー振動報知モードのときにはブザー報知と振動報知とを交互に３回ずつ行っている。安定報知は、使用者に検温完了を伝えるための報知であるので、１回や２回では確認できないこともあり、また、必要以上続けても、電池寿命を短くし、また、うるさくするだけだからであり、３回程度が妥当だからである。
【００７５】
また、本発明の実施形態では、ブザー振動報知モードのときにはブザー報知と振動報知とを交互に３回ずつ行っているが、ブザー報知を3回行なってから振動報知を3回行っても良い。
【００７６】
また、本発明の実施形態では、ブザー報知装置９と振動報知装置８しか報知装置を備えていないため、ブザー報知、振動報知およびブザー振動報知のみ説明したが、例えば発光報知装置を備えることで、ブザー報知、振動報知に発光報知を加え、ブザー報知のみ行うよう制御回路４が制御するブザー報知モード、振動報知のみ行なうよう制御回路４が制御する振動報知モード、発光報知のみ行うよう制御回路４が制御する発光報知モード、ブザ
ー報知と振動報知とを交互に行うよう制御回路４が制御するブザー振動報知モード、振動報知と発光報知とを交互に行うよう制御回路４が制御する振動発光報知モード、発光報知とブザー報知とを交互に行うよう制御回路４が制御する発光ブザー報知モード、ブザー報知と振動報知と発光報知とをそれぞれ交互に行うよう制御回路４が制御するブザー振動発光報知モードを設け、それらの報知モードから使用者に合った最適な報知モードを選択できるようにしても良い。
【図面の簡単な説明】
【００７７】
【図１】本発明の電子体温計の概略構成を説明するための概略ブロック図である。
【図２】（ａ）は本発明の電子体温計の平明図であり、（ｂ）は（ａ）のＡ−Ａ線断面図である。
【図３】本発明の電子体温計の動作例を説明するためのフローチャートである。
【図４】本発明の電子体温計の報知モード切替の動作例を説明するためのフローチャートである。
【図５】本発明の電子体温計の表示装置の表示パターンを説明するための図である。
【図６】本発明の報知動作の駆動信号と電池電圧の関係を説明するための図である。
【図７】従来の報知動作の駆動信号と電池電圧の関係を説明するための図である。
【符号の説明】
【００７８】
１ 電子体温計
２ 測定制御回路
３ 測定装置
４ 制御回路
５ タイマ
６ センサ
７ スイッチ装置
８ 振動報知装置
９ ブザー報知装置
１０ 表示装置
１２  キャップ
１３  風防板
１４  測定部
１４ａ  センサーキャップ
１５  回路基板
１６  電池収納部
１７  電池蓋
１８  電池
１９  ケース本体
【図１】
2007155579.tif 000003
【図２】
2007155579.tif 000004
【図３】
2007155579.tif 000005
【図４】
2007155579.tif 000006
【図５】
2007155579.tif 000007
【図６】
2007155579.tif 000008
【図７】
2007155579.tif 000009